(57)【特許請求の範囲】
【請求項１】
計量機を設置したアイランドに給油エリアに向けて消火ノズルを設け、該消火ノズルを開閉弁を介して消火剤ボンベに接続し、
敷地の片隅の事務所内にはセルフコンソールが設けられ、
セルフコンソールにはタッチキー付きの表示器が設けられ、この表示器の画面は複数に区画され、各区画はそれぞれの計量機に割り当てられ、
セルフコンソールの制御装置は、各計量機から給油要求信号を受けて該当する区画に給油要求表示を表示し、この部分の押し圧信号をタッチキーから受けて計量機へ給油許可信号を出力し、計量機から給油データ信号を受けて該当する区画給油データを表示し、
また、セルフコンソールには、各給油エリアの消火ノズルの開閉弁へ開閉信号を出力する作動スイッチが設けられ、セルフコンソールは計量機及び開閉弁に接続され、
作動スイッチは開弁信号を開閉弁へ出力すると同時に、給油停止信号をセルフコンソールの制御装置へ伝え、
制御装置は給油停止信号を受けて計量機へ給油停止信号を出力し、計量機を停止するようにし、
前記消火ノズルはアイランド上に設けられ、消火ノズルはカバーで保護されていることを特徴とした給油所用の消火装置。
【発明の詳細な説明】
【０００１】
【発明の属する技術分野】
本発明は、車へ燃料油を供給する給油所で、特に顧客自身が給油をするセルフサービス給油所に設置されると有効な給油所用の消火装置に関するものである。
【０００２】
【従来の技術】
給油所用の消火装置は、本出願人が特開昭５９ー１３４１９６号として提案している。この消火装置は、計量機を設置したアイランドに給油エリアに向けて消火ノズルを設け、消火ノズルを開閉弁を介して消火剤ボンベに接続し、開閉弁を火災検知器からの信号により自動的に開くようにしている。この発明は有効ではあるが、火災検知器は太陽光線や車のライトを火事として誤検知をしたり、小さな火事の内は火事とは判断されないことがある。誤検知して消火ノズルより消火剤が噴射された場合は、消火剤が無駄になり、現場を元の状態に戻すのに経費が嵩む。また、小さな火事を火事と判断されなかった場合は、火事が大きくなってから消火剤が噴射され、被害が甚大となる。そして、火事が大きくなるとこのような消火装置だけでは消火しきれず、火事による被害が給油所全体に広がる虞がある。
【０００３】
【発明が解決しようとする課題】
本発明の目的は前記従来例の不都合を解消し、事務所内で給油所全体の安全を監視している給油管理者が、火事を発見すると直ちに消火ノズルから消火剤を噴射できるようにして、火事を小さな内に消して被害を最小に押さえることができるようにした給油所用の消火装置を提供することにある。
【０００４】
【課題を解決するための手段】
本発明は前記目的を達成するため、計量機を設置したアイランドに給油エリアに向けて消火ノズルを設け、該消火ノズルを開閉弁を介して消火剤ボンベに接続し、敷地の片隅の事務所内にはセルフコンソールが設けられ、セルフコンソールにはタッチキー付きの表示器が設けられ、この表示器の画面は複数に区画され、各区画はそれぞれの計量機に割り当てられ、セルフコンソールの制御装置は、各計量機から給油要求信号を受けて該当する区画に給油要求表示を表示し、この部分の押し圧信号をタッチキーから受けて計量機へ給油許可信号を出力し、計量機から給油データ信号を受けて該当する区画給油データを表示し、また、セルフコンソールには、各給油エリアの消火ノズルの開閉弁へ開閉信号を出力する作動スイッチが設けられ、セルフコンソールは計量機及び開閉弁に接続され、作動スイッチは開弁信号を開閉弁へ出力すると同時に、給油停止信号をセルフコンソールの制御装置へ伝え、制御装置は給油停止信号を受けて計量機へ給油停止信号を出力し、計量機を停止するようにし、前記消火ノズルはアイランド上に設けられ、消火ノズルはカバーで保護されていることを要旨とするものである。
【０００５】
請求項１記載の本発明によれば、開閉弁の作動スイッチを事務所内に設けているので、事務所内で給油所全体の安全を監視している給油管理者が火事を発見すると、直ちに作動スイッチを押して、消火ノズルから消火剤を噴射でき、火事を小さな内に消して被害を最小に押さえることができる。
【０００６】
そして、前記消火ノズルはアイランド上に設けられているので、消火ノズルは比較的に高所に位置し、消火剤の届く消火範囲が広くなる。また、消火ノズルはカバーで保護されているので、人に踏まれても壊れることがない。
【０００７】
【発明の実施の形態】
以下、本発明の実施の形態を説明する。図１に示すように、給油所１の敷地には前後面に給油エリア２が形成された複数のアイランド３が設けられ、アイランド３上にはそれぞれ計量機４が設けられている。そして、アイランド３の前後面にそれぞれ２個づつの消火ノズル５、５が設けられ、各給油エリア２の消火をカバーするようになっている。
【０００８】
一方、敷地の片隅の室６には消火剤が入れられたボンベ７が設けられ、ボンベ７に接続された消火管８はアイランド３まで配設されている。そして、消火管８には開閉弁９を介して分岐管１０が接続され、この分岐管１０は各面に設けられた２個の消火ノズル５、５に接続されている。
【０００９】
また、敷地の片隅の事務所１１内にはセルフコンソール１２が設けられ、このセルフコンソール１２は計量機４及び開閉弁９に接続されている。
【００１０】
図２に示すように、計量機４には各種の油種を給油できるように複数の給油ノズル１３が設けられ、給油ノズル１３のノズル掛け１４には給油ノズル１３の掛け外しに連動して開閉信号を出力するノズルスイッチ１５が設けられている。そして、計量機４の制御装置１６は、ノズルスイッチ１５から閉信号を受けてセルフコンソール１２へ給油要求信号を出力し、セルフコンソール１２から給油許可信号を受けて計量機４を給油状態とし、給油中は給油量を表示計１７に表示し、ノズルスイッチ１５から開信号を受けてセルフコンソール１２へ給油データ信号を出力するようになっている。
【００１１】
消火ノズル５はアイランド３上の縁に設けられ、カバー１８で保護されている。このカバー１８により、人に踏まれたり物が当たっても、消火ノズル５が損傷を受けることがない。
【００１２】
図３に示すように、セルフコンソール１２にはタッチキー１９付きの表示器２０が設けられている。この表示器２０の画面は複数に区画２０ａ、２０ａ・・・され、各区画２０ａはそれぞれの計量機４に割り当てられている。そして、セルフコンソール１２の制御装置２１は、各計量機４から給油要求信号を受けて該当する区画２０ａに給油要求表示を表示し、この部分の押し圧信号をタッチキー１９から受けて計量機４へ給油許可信号を出力し、計量機４から給油データ信号を受けて該当する区画２０ａに給油データを表示する。
【００１３】
また、セルフコンソール１２には、各給油エリア２の消火ノズル５の開閉弁９へ開閉信号を出力する作動スイッチ２２、２２・・・が設けられている。図４に示すように、作動スイッチ２２は開弁信号を開閉弁９へ出力すると同時に、給油停止信号をセルフコンソール１２の制御装置２１へ伝える。そして、制御装置２１から計量機４へ給油停止信号が出力され、計量機４は停止するようになっている。
【００１４】
なお、作動スイッチ２２を有効とする図示しないスイッチを設け、このスイッチを押してから作動スイッチ２２を押すと開閉弁９へ開弁信号を出力するようにしたり、作動スイッチ２２を図示しない蓋で覆ったりすれば、作動スイッチ２２に誤接触して消火剤を噴射することがなくなる。また、表示器２０の各区画２０ａに作動スイッチの表示をし、この部分の押し圧信号をタッチキー１９から受けて、制御装置２１から各開閉弁９へ開弁信号を出力し、各計量機４へ給油停止信号を出力するようにしてもよい。
【００１５】
次に動作を説明する。セルフサービスによる給油操作は従来と同様に、車を給油エリア２に停車した顧客が計量機４の給油ノズル１３を外すと、ノズルスイッチ１５から閉信号が制御装置１６に伝わり、制御装置１６はセルフコンソール１２へ給油要求信号を出力する。
【００１６】
この給油要求信号を受けたセルフコンソール１２の制御装置２１は、当該計量機４の区画２０ａに給油要求表示を表示する。給油所１の安全を監視している給油管理者は、安全を確認して区画２０ａの給油要求表示がされた部分を指でタッチすると、タッチキー１９の押し圧信号が制御装置２１に入力し、制御装置２１は計量機４へ給油許可信号を出力する。
【００１７】
この給油許可信号を受けた計量機４の制御装置１６は、計量機４を給油状態とする。そして、顧客は給油ノズル１３より車へ給油をし、所望量の給油が終わり、給油ノズル１３をノズル掛け１４へ掛けると、ノズルスイッチ１５から開信号が制御装置１６に伝わり、制御装置１６は計量機４を停止状態とし、給油データ信号をセルフコンソール１２へ出力する。この給油データ信号を受けてセルフコンソール１２の制御装置２１は、給油データを表示器２０の該当する区画２０ａに表示する。
【００１８】
給油が終わった顧客は事務所１１へ行き、セルフコンソール１２の表示器２０に表示されている給油データに基づいて精算をして出車する。
【００１９】
以上のようにして通常の給油操作が行われる。しかし、給油所１の安全を監視している給油管理者が、車の給油口から油が溢れているのを発見して火事の危険を感じたり、給油中の顧客がタバコを吸ったりして火事が発生したのを発見した場合は、この給油エリア２の作動スイッチ２２を押すと、開閉弁９に開弁信号が伝わる。この開弁信号を受けて開閉弁９は開き、ボンベ７内の消火剤は消火管８及び分岐管１０を介して消火ノズル５、５より給油エリア２に向けて噴射される。これにより火事の発生が未然に防止されたり、火事による大きな災害が防止される。
【００２０】
また、作動スイッチ２２から開閉弁９に開弁信号が出力されると同時に、作動スイッチ２２からセルフコンソール１２の制御装置２１に給油停止信号が伝わり、セルフコンソール１２から計量機４へ給油停止信号が出力し、計量機４は給油を停止する。これにより給油ノズル１３から新たな油の吐出がなくなり、火事の拡大は防止される。
【００２１】
消火剤の噴射により鎮火したならば、再び作動スイッチ２２を押すと、作動スイッチ２２から開閉弁９へ閉弁信号が出力され、この閉弁信号を受けて開閉弁９は閉じ、消火剤の噴射は停止する。そして、安全の確認をし、計量機４を復帰させて、次の給油に備える。
【００２２】
【発明の効果】
以上説明したように本発明の給油所用の消火装置は、計量機を設置したアイランドに給油エリアに向けて消火ノズルを設け、該消火ノズルを開閉弁を介して消火剤ボンベに接続し、該開閉弁の作動スイッチを事務所内に設けているので、給油所の安全を監視している給油管理者が火事を発見すると、直ちに作動スイッチを押して、消火ノズルから消火剤を噴射でき、火事を小さな内に消して被害を最小に押さえることができる。
【図面の簡単な説明】
【図１】  本発明の給油所用の消火装置を設けた給油所の平面図である。
【図２】  計量機及び消火ノズルの部分の斜視図である。
【図３】  セルフコンソールの正面図である。
【図４】  本発明の給油所用の消火装置のブロック図である。
【符号の説明】
１  給油所
２  給油エリア
３  アイランド
４  計量機
５  消火ノズル
６  室
７  ボンベ
８  消火管
９  開閉弁
１０  分岐管
１１  事務所
１２  セルフコンソール
１３  給油ノズル
１４  ノズル掛け
１５  ノズルスイッチ
１６  制御装置
１７  表示計
１８  カバー
１９  タッチキー
２０  表示器
２０ａ  区画
２１  制御装置
２２  操作スイッチ
【図１】
0004061680.tif 000002
【図２】
0004061680.tif 000003
【図３】
0004061680.tif 000004
【図４】
0004061680.tif 000005